(57)【要約】【課題】簡易に安定して建築用パネルの取付を行うことができる建築用パネルの取付構造を提供する。【解決手段】複数の矩形の建築用パネル１を目地溝１３が形成されるよう隣接させて、施工下地（２、２ａ）上に取り付ける建築用パネルの取付構造であって、上記目地溝１３には、カバー目地部材１２と目地受け部材１１とからなる目地部材１０が配設され、上記目地受け部材は、上記カバー目地部材を係合保持する係合部１１０が設けられた本体部１１ａと、上記施工下地の表面に固着される薄板状の鍔部１１ｂとを有しており、上記鍔部の上記施工下地に対する固着は、に固定具となる皿ネジ３の螺入によりなされ、該螺入は、上記鍔部を上記皿ネジが貫通し、該皿ネジのネジ頭部３ａが上記貫通した部位の周縁部分において上記鍔部を押圧変形させ施工下地内に食い込ませることで、上記ネジ頭部の表面が上記鍔部の表面と略面一となるようになされていることを特徴とする。【選択図】図１
2009191539.tif 000002
【特許請求の範囲】
【請求項１】
複数の矩形の建築用パネルを目地溝が形成されるよう隣接させて、施工下地上に取り付ける建築用パネルの取付構造であって、
上記目地溝には、カバー目地部材と目地受け部材とからなる目地部材が配設され、上記目地受け部材は、上記カバー目地部材を係合保持する係合部が設けられた本体部と、上記施工下地の表面に固着される薄板状の鍔部とを有しており、
上記鍔部の上記施工下地に対する固着は、固定具となる皿ネジの螺入によりなされ、該螺入は、上記鍔部を上記皿ネジが貫通し、該皿ネジのネジ頭部が上記貫通した部位の周縁部分において上記鍔部を押圧変形させ施工下地内に食い込ませることで、上記ネジ頭部の表面が上記鍔部の表面と略面一となるようになされていることを特徴とする建築用パネルの取付構造。
【請求項２】
請求項１において、
上記建築用パネルの最外周端部には、カバー見切り部材と見切り受け部材とからなる見切り部材が更に配設され、
上記見切り受け部材は、上記カバー見切り部材を係合保持する係合部が設けられた本体部と、上記施工下地の表面に固着される薄板状の鍔部とを有しており、上記鍔部の上記施工下地に対する固着は、固定具となる皿ネジの螺入によりなされ、該螺入は、上記鍔部を上記皿ネジが貫通し、該皿ネジのネジ頭部が上記貫通した部位の周縁部分において上記鍔部を押圧変形させ施工下地内に食い込ませることで、上記ネジ頭部の表面が上記鍔部の表面と略面一となるようになされていることを特徴とする建築用パネルの取付構造。
【請求項３】
請求項１又は請求項２において、
上記施工下地は、下地材の下方に桟材が構成されてなり、
該桟材より柔らかい材質からなる上記下地材は、上記螺入により上記鍔部と上記桟材との間で挟圧され、圧縮変形されていることを特徴とする建築用パネルの取付構造。
【請求項４】
請求項１〜請求項３のいずれか１項において、
上記鍔部は上記ネジ頭部の厚みよりも薄く形成されてなり、
上記螺入により上記鍔部と共に上記ネジ頭部が上記施工下地内に食い込むようになされていることを特徴とする建築用パネルの取付構造。
【請求項５】
請求項１〜請求項４のいずれか１項において、
上記鍔部は、合成樹脂からなることを特徴とする建築用パネルの取付構造。
【発明の詳細な説明】
【技術分野】
【０００１】
本発明は、天井面や壁面などに取付固定される建築用パネルの取付構造に関する。
【背景技術】
【０００２】
従来より、天井面や壁面などに取付固定される建築用パネルの施工方法としては、石膏ボードなどの施工下地上に目地溝を形成するように建築用パネルを隣接して取り付け、該目地溝に、乾式の目地部材を装着して目地を構成するものがある。該目地部材は、カバー目地部材と目地受け部材とからなり、カバー目地部材は目地受け部材によって係合保持される構造となっており、該目地受け部材は、目地溝を均一の幅に形成させるために、順次取り付けられる建築用パネルの位置決めの役割も担っている。
【０００３】
下記特許文献１には、住宅などの外壁パネル（建築用パネル）の接合部、または外壁パネル端部の見切り部に設けられる外壁パネル用役物が開示されている。ここには、化粧カバー（カバー目地部材）と取付ベース（目地受け部材）とからなる外壁パネル用役物が記載されており、取付ベースの取付板（鍔部）を木ネジなどの固定具によって施工下地上に固着することにより、取付ベースが施工下地上に取付られているものが開示されている（特許文献１・図２、図８参照）。
また下記特許文献２には、住宅などの外壁パネル（建築用パネル）の端縁間の目地をふさぐジョイナー材とシーリング材とを有する目地構造が開示されている。ここにも、カバー部材（カバー目地部材）とジョイナー本体（目地受け部材）とからなるジョイナー材が記載されており、ジョイナー本体の基部（鍔部）に釘などの固定具を打ち付け、ジョイナー本体を施工下地上に固着したものが開示されている（特許文献２・図２参照）。
【特許文献１】特開２０００−２８２６７３号公報
【特許文献２】特開２００５−１０５６５５号公報
【発明の開示】
【発明が解決しようとする課題】
【０００４】
このような建築用パネルの施工にあたっては、建築用パネルの裏面に接着剤を塗布して接着層を形成し、施工下地に建築用パネルを直接接着されることがなされている。このとき、建築用パネルと施工下地との間には、目地受け部材の鍔部が介在することとなるので、その厚みが接着層の厚みとなる。
上記特許文献１及び上記特許文献２のように目地受け部材の鍔部をネジや釘などの固定具で固定保持する場合、鍔部自体の厚みに、ネジ或いは釘のあたま分の厚みが加わってしまうため、建築用パネルと施工下地との隙間も大きくなってしまう点が問題となっていた。
すなわち、建築用パネルと施工下地との隙間が大きくなると接着層の厚みも大きくなってしまうため、接着層の厚みを均一にすることが難しくなるとともに、安定して建築用パネルを施工下地に接着しにくくなってしまうのである。特に建築用パネルの施工において、接着層を形成する作業は施工現場で行われるため、３ｍｍ以上の厚みのある接着層を均一に形成することは非常に難しい作業となり、施工に時間がかかってしまう要因となる。またダンゴ状に接着剤を塗布して厚みを確保することも考えられるが、施工下地上に建築用パネルを接着する際に押しつぶされる量も計算する必要があるため容易な施工方法とはいえなかった。
【０００５】
本発明は、このような事情を考慮して提案されたもので、その目的は、簡易に安定して建築用パネルの取付を行うことができる建築用パネルの取付構造を提供することにある。
【課題を解決するための手段】
【０００６】
上記目的を達成するために、本発明の建築用パネルの取付構造は、複数の矩形の建築用パネルを目地溝が形成されるよう隣接させて、施工下地上に取り付ける建築用パネルの取付構造であって、上記目地溝には、カバー目地部材と目地受け部材とからなる目地部材が配設され、上記目地受け部材は、上記カバー目地部材を係合保持する係合部が設けられた本体部と、上記施工下地の表面に固着される薄板状の鍔部とを有しており、上記鍔部の上記施工下地に対する固着は、固定具となる皿ネジの螺入によりなされ、該螺入は、上記鍔部を上記皿ネジが貫通し、該皿ネジのネジ頭部が上記貫通した部位の周縁部分において上記鍔部を押圧変形させ施工下地内に食い込ませることで、上記ネジ頭部の表面が上記鍔部の表面と略面一となるようになされていることを特徴とする。
【０００７】
また本発明の建築用パネルの取付構造は、上記建築用パネルの最外周端部には、カバー見切り部材と見切り受け部材とからなる見切り部材が更に配設され、
上記見切り受け部材は、上記カバー見切り部材を係合保持する係合部が設けられた本体部と、上記施工下地の表面に固着される薄板状の鍔部とを有しており、上記鍔部の上記施工下地に対する固着は、固定具となる皿ネジの螺入によりなされ、該螺入は、上記鍔部を上記皿ネジが貫通し、該皿ネジのネジ頭部が上記貫通した部位の周縁部分において上記鍔部を押圧変形させ施工下地内に食い込ませることで、上記ネジ頭部の表面が上記鍔部の表面と略面一となるようになされていることを特徴とする。
【０００８】
本発明において、上記施工下地は、下地材の下方に桟材が構成されてなり、該桟材より柔らかい材質からなる上記下地材は、上記螺入により上記押圧変形された上記鍔部と上記桟材との間で挟圧され、圧縮変形されているものとすることができる。また、上記鍔部は上記ネジ頭部の厚みよりも薄く形成されてなり、上記螺入により上記押圧変形された上記鍔部と共に上記ネジ頭部が上記施工下地内に食い込むようになされているものとすることもできる。更に鍔部は、合成樹脂材からなるものとすることができる。
【発明の効果】
【０００９】
本発明に記載の建築用パネルの取付構造によれば、目地受け部材の鍔部が薄板状でなるので、固定具となる皿ネジを容易に螺入させることができ、また皿ネジが該鍔部、施工下地を貫通するので、目地受け部材を施工下地に強固に固着させることができる。また建築用パネルの最外周端部に見切り部材を配設した場合でも、見切り受け部材の鍔部の構成を目地受け部材の鍔部と同様にすることができ、同様の効果を得ることができる。
また皿ネジによる螺入は、鍔部を皿ネジが貫通し、該皿ネジのネジ頭部が上記貫通した部位の周縁部分において上記鍔部を押圧変形させ施工下地内に食い込ませることで、上記ネジ頭部の表面が上記鍔部の表面と略面一となるようになされている。よって、建築用パネルを接着層を介して施工下地に接着する場合、目地受け部材の鍔部の略厚み分の接着層を形成すればよい。
更に上述のように鍔部は皿ネジのネジ頭部に邪魔されることなく、薄板状で構成されているから、接着層も薄くすることができる。よって、建築用パネルを取り付ける施工現場において、容易に接着層の形成を行うことができ、施工時間の短縮を図ることもできる。
そして、このように接着層を薄状とすることができるので、均一な接着層を形成しやすく、安定して建築用パネルを施工下地に接着させることができる。
【００１０】
施工下地は、下地材の下方に桟材が構成されてなり、該下地材を該桟材より柔らかい材質からなるものとすれば、下地材が上記螺入により押圧変形された鍔部と桟材との間で挟圧され、圧縮変形されるので、ネジ頭部が施工下地内に食い込みやすく、ネジ頭部の表面が鍔部の表面と略面一にしやすい構成とすることができる。
また鍔部をネジ頭部の厚みよりも薄く形成されたものとしても、上記螺入により押圧変形された鍔部と共に上記ネジ頭部が上記施工下地内に食い込みやすく、ネジ頭部の表面が鍔部の表面と略面一にしやすい構成とすることができる。
更に鍔部が、合成樹脂材からなるものとすれば、皿ネジを螺入させやすく、皿ネジによって圧扁して皿ネジのネジ頭部表面と鍔部の表面とを略面一にし易いものとすることができる。また合成樹脂の成型体は加工製造が容易であるので、コストアップの懸念がない。
【発明を実施するための最良の形態】
【００１１】
以下に、本発明の実施の形態について、添付図面を参照しながら説明する。
図１は本発明の建築用パネルの取付構造を説明するための断面図であり、図２のＸ−Ｘ線矢視断面図、図２は建築用パネルの取付構造の施工例を示す平面図、図３は図２のＹ−Ｙ線矢視断面図であり、目地受け部材１１の装着工程を示した図、図４は本発明の建築用パネルの取付構造に採用される目地部材の斜視図、図５は（ａ）（ｂ）は同建築用パネルの取付構造の変形例を示しており、目地受け部材の装着工程を示した断面図である。
【００１２】
本発明の建築用パネルの取付構造は、天井面や壁面に取り付けられる建築用パネルの取付構造として採用することができ、目地受け部材１１及び見切り受け部材２１の固定構造に特徴を有するものであり、建築用パネルと施工下地との接着層を薄く構成することにより、建築用パネルの取付施工が容易となり、安定した取付を行うことができるものである。
図例は、天井面の一部を装飾するために天井面に建築用パネルとして内装パネル１を取り付けた例を示している。尚、以下の説明では、上下関係が天地逆になっており、縦横の方向は図２を基準に説明する。
正方形からなる内装パネル１を目地溝１３が形成されるように隣接させ、目地溝１３には、目地部材１０が装着されている。また、複数の内装パネル１よりなるパネル全体Ｐの最外周には、外側に配置された内装パネル１の端部を隠すとともに固定するための見切り部材２０が配設され、パネル全体Ｐの隅部にはコーナーキャップ（不図示）が取り付けられている。内装パネル１の施工手順については後に詳述する。
【００１３】
目地部材１０は、カバー目地部材１２と、カバー目地部材１２を係合保持する目地受け部材１１とからなる。図４は、長目地部材１０Ｌのみを示す斜視図である。ここでは説明のため内装パネル１は図示していない。
カバー目地部材１２は、アルミニウム材、金属材或いは、合成樹脂材などからなり、化粧部１２ａと目地受け部材１１に係止される係止突起部１２ｂとを備えている。内装パネル１側に露出する化粧部１２ａの形状は、後記するように縦方向に配設されるものと横方向に配設されるものとで異なるものが用いられる。
【００１４】
図２における横方向には、複数の内装パネル１に跨る長目地部材１０Ｌが使用され、縦方向には、内装パネル１の一方辺（本例では縦辺）に対応させて、その一方辺と略同一の長さ寸法の短目地部材１０Ｓが使用される。長目地部材１０Ｌの化粧部１２ａ（Ｌ）は、図２〜図４に示すように鍔状に形成されたものが用いられ、短目地部材１０Ｓの化粧部１２ａ（Ｓ）は図１、図２に示すように鍔のない断面方形に形成されたものが用いられ、これら化粧部１２ａの形状によってパネル全体Ｐの仕上がりの意匠性を高めている。尚、長目地部材１０Ｌ、短目地部材１０Ｓは縦横を逆に配設してもよいことは言うまでもない。
係止突起部１２ｂは後記する凹溝状の係合部１１０に係止されるよう構成されており、挿入部１２ｂａと突起部１２ｂｂとを備えている。
挿入部１２ｂａは係合部１１０の凹溝内にスムーズに挿入されるよう断面棒状に構成されるとともに、係合部１１０の溝壁面に形成された突条部１１０ａに押圧されて抜け出ないようになっている。また突起部１２ｂｂは挿入部１２ｂａよりも幅広に構成され凸状となっており、係合部１１０の突条部１１０ａと開口部１１０ｂとの間に形成される凹所に収容される。そして、後記する本体部１１ａに形成されている開口部１１０ｂは突起部１２ｂｂより若干幅狭に形成されているため、一度係止突起部１２ｂを係合部１１０に押し込むようにして嵌合させると、簡単に係止突起部１２ｂが係合部１１０から抜け出ることがない。
【００１５】
目地受け部材１１は、カバー目地部材１２と同様に、アルミニウム材などの金属材、或いは合成樹脂材などからなるが、本発明においては、後記する鍔部１１ｂが薄板状に形成され、皿ネジ３を鍔部１１ｂに螺入させる構造としているため、少なくとも鍔部１１ｂは合成樹脂材からなるものが望ましく、目地受け部材１１が合成樹脂の成型体からなるものが好適である。合成樹脂の成型体からなるものとすれば、皿ネジの螺入によって圧扁して皿ネジ３のネジ頭部３ａ表面と鍔部１１ｂの表面とを略面一にし易いものとすることができる。また合成樹脂の成型体は加工製造が容易であるので、コストアップの懸念がない。ここで固定具として用いられる皿ネジ３は、ネジ頭部３ａが平坦で、軸部分が円錐形のものである。またネジ頭部３ａは断面がテーパー状になっており、螺入された後、強固に螺着されるよう構成されている。
目地受け部材１１は、本体部１１ａと鍔部１１ｂとからなり、本体部１１ａには、カバー目地部材１２の係止突起１２ｂを係合保持するため、凹溝状に長手方向に伸びる係合部１１０が形成されている。係合部１１０の左右の溝壁面には突条部１１０ａが長手方向に沿って上下に２箇所形成されている。
鍔部１１ｂは下地材２、天井野縁２ａ上に目地受け部材１１を固着するために本体部１１ａの下端部から鍔状に左右に延出されて薄板状に形成されており、皿ネジ３が螺入される側が他方より出幅が大きく形成されているので、安定して施工下地（２、２ａ）に固着することができる。
また鍔部１１ｂの皿ネジ３が螺入される側には、長手方向にＶ溝状に掘削された切込み部１１ｂａが形成されている（図４参照）。
【００１６】
更に図例の目地受け部材１１は、やとい実（さね）部１１ｃを備えており、図１に示すように内装パネル１の端面１ａに形成された凹溝１ｂに係合するよう構成されている。やとい実部１１ｃは上述の鍔部１１ｂに平行して形成されており、鍔部１１ｂが形成されていない側の本体部１１ｂの上端部から鍔状に左右に延出されている。そして本体部１１ａにはカバー目地部材１２の係止突起１２ｂが挿入される開口部１１０ｂが長手方向に形成されている。このやとい実部１１ｃは、内装パネル１を取り付ける際に、内装パネル１と下地材２とを接着する接着層４が硬化して接着するまでの間や、接着剤を使用せずに位置あわせなどを目的として仮施工する際などには、仮固定しておくことができる。また、内装パネル１が下地材２にうまく接着されていない場合などでも、やとい実部１１ｃが内装パネル１の端部にひっかかり、内装パネル１が落下してしまうことを防ぐことができる。
【００１７】
見切り部材２０は上述のように内装パネル１の最外周端部に配設される。
図２には縦方向に配設される見切り部材２０のみを図示しているが、横方向にも配設され、複数配置される内装パネル１の最も外周に配置された内装パネル１の外側端部の全体が見切り部材２０で枠状に覆われる。
見切り部材２０はカバー見切り部材２２と見切り受け部材２１とからなる。
カバー見切り部材２２は、アルミニウム材などの金属材或いは、合成樹脂材などからなり、化粧部２２ａと見切り受け部材２１に係止される係止部２２ｂとを備えている。
化粧部２２ａは内装パネル１の端部１ｂが表面上見えないよう覆うように形成されており、パネル全体Ｐの意匠性を高めている。
係止部２２ｂは後記する係合部２１０に係止されるよう構成されている。係止部２２ｂは、突起部２２ｂａを備えており、本体部２１ａに形成された開口部２１０ａに挿入される。開口部２１０ａは突起部２２ｂａのより若干幅狭に形成されているため、一度係止部２２ｂを係合部２１０に押し込むようにして嵌合させると、簡単に係止部２２ｂが係合部２１０から抜け出ることがない。
【００１８】
見切り受け部材２１は、カバー見切り部材２２と同様に、アルミニウム材などの金属材或いは合成樹脂材などからなるが、本発明においては、後記する鍔部２１ｂが薄板状に形成され、皿ネジ３を鍔部２１ｂに螺入させる構造としているため、少なくとも鍔部２１ｂは合成樹脂材からなるものが望ましく、見切り受け部材２１が合成樹脂の成型体からなるものが好適である点は、上述の目地受け部材１１と同様である。
見切り受け部材２１は、本体部２１ａと鍔部２１ｂとからなり、本体部２１ａには、カバー見切り部材２２の係止部２２ｂを係合保持するため、凹溝状に長手方向に伸びる係合部２１０が形成されている。
鍔部２１ｂは下地材２、天井野縁２ａ上に見切り受け部材２１を固着するために形成されており、本体部２１ａの下端部から内装パネル１が配置される側に鍔状に延出され薄板状に形成されている。鍔部２１ｂの皿ネジ３が螺入される位置には、目地受け部材１１の鍔部１１ｂと同様に長手方向にＶ溝状に掘削された切込み部（不図示）が形成されている。
【００１９】
更に図例の見切り受け部材２１は、やとい実（さね）部２１ｃを備えており、図１に示すように内装パネル１の端面１ａに形成された凹溝１ｂに係合するよう構成されている。やとい実部２１ｃは上述の鍔部２１ｂに平行して形成されており、鍔部２１ｂが形成されていない側の本体部２１ｂの上端部から鍔状に延出されている。このやとい実部２１ｃは、内装パネル１を取り付ける際に、内装パネル１と下地材２とを接着する接着層４が硬化して接着するまでの間や、接着剤を使用せずに位置あわせなどを目的として仮施工する際などには、仮固定しておくことができる。また内装パネル１が下地材２にうまく接着されていない場合などでも、やとい実部１１ｃが内装パネル１の端部にひっかかり、内装パネル１が落下してしまうことを防ぐことができる。
【００２０】
次に内装パネル１の施工手順ついて説明する。
内装パネル１の施工の下準備として、図２に示すように天井面には、天井野縁２ａが格子状に施工し、その上に石膏ボードなどの下地材２が取着された状態とする。すなわち、施工下地は下地材２の下方に木材などからなる天井野縁２ａが構成され、２重構造となっている。
そしてまず内装パネル１の取付位置の最外周となる位置に縦横のＬ字状に見切り受け部材２１を配設する。詳しくは縦横いずれか一方に配設する見切り受け部材２１を所定の位置に配置し、天井野縁２ａが配されている箇所を狙って皿ネジ３を見切り受け部材２１の鍔部２１ｂ、下地材２、そして天井野縁２ａに螺入する。このとき鍔部２１ｂの皿ネジ３が螺入される位置には切込み部（不図示）があるので、施工者は天井野縁２ａが配されている箇所を確認して皿ネジ３を螺入していけばよい。図１に示すように皿ネジ３は鍔部２１ｂを押圧変形させて貫通し、下地材２、天井野縁２ａを貫通する。皿ネジ３のネジ頭部３ａが鍔部２１ｂを押圧変形させ、めり込む程、強固に固着すると、皿ネジ３のネジ頭部３ａが貫通した部位の周縁部分が下地材２の表面に食い込んだ状態となる。
このとき、下地材２は天井野縁２ａ及び鍔部２１ｂより柔らかい材質からなるので、下地材２は鍔部２１ｂと天井野縁２ａとの間で挟圧され、圧縮変形される。
また、ネジ頭部３ａの厚み（ｄ４）と鍔部２１ｂの厚み（ｄ２）の関係がｄ４＞ｄ２となるよう構成すれば（図１参照）、確実に鍔部２１ｂの押圧変形された周縁部分と共に下地材２の表面に食い込み、見切り受け部材２１は強固に施工下地に固着され、望ましい。
このように、鍔部２１ｂの表面にはネジ頭部３ａが突出されることがないので、該表面を略面一に構成することができる。
縦横いずれかの見切り受け部材２１を所定位置に取り付けたら、二つの見切り部材２０を突き合わせてその隅部が直角になるように配置し、もう一方の見切り受け部材２１も同様に下地材２上に取り付けていく。
【００２１】
次に、内装パネル１の裏面に接着剤を塗布し接着層４を形成し、内装パネル１の凹溝１ｂと見切り受け部材２１のやとい実部２１ｃとが嵌合するように内装パネル１を取り付ける。このとき内装パネル１の裏面に形成される接着層４は、ネジ頭部３ａが鍔部２１ｂにめり込み、表面から突出しているものがないので、鍔部２１ｂの略厚み（ｄ２）分だけ形成すればよい。よって鍔部２１ｂの厚みが例えば１ｍｍの場合は、接着層４の厚み（ｄ３）もおよそ１ｍｍでよい。すなわち、内装パネル１は、見切り受け部材２１の鍔部２１ｂの略厚み（ｄ２）分の接着層４を介して下地材２に接着させるものとすることができる。よって、接着剤の使用量を抑えることができ、容易に接着層４の形成を行うことができる。また、施工時間の短縮を図ることもできる。更に接着層４を均一な厚さで形成することも容易となるので、内装パネル１を安定して下地材２に接着させることができる。
【００２２】
続いて、短目地部材１０Ｓの取り付けを行う。まず短目地部材１０Ｓの目地受け部材１１をすでに取り付けられた内装パネル１の縦方向端部に取り付ける。このとき、やとい実部１１ｃと凹溝１ｂとが嵌合するように行う。そして見切り受け部材２１の取り付けと同様に切込み部１１ｂａが形成された鍔部１１ｂに皿ネジ３を螺入していく。ここでも皿ネジ３を螺入する箇所は、天井野縁２ａが配されている箇所である。図１に示すように皿ネジ３は鍔部１１ｂを破断して、下地材２、天井野縁２ａを貫通する。
皿ネジ３のネジ頭部３ａが鍔部１１ｂを押圧変形させ、めり込む程、強固に固着すると、皿ネジ３のネジ頭部３ａが貫通した部位の周縁部分が下地材２の表面に食い込んだ状態となる。
このとき、下地材２は天井野縁２ａ及び鍔部１１ｂより柔らかい材質からなるので、下地材２は鍔部１１ｂと天井野縁２ａとの間で挟圧され、圧縮変形される。また、ネジ頭部３ａの厚み（ｄ４）と鍔部１１ｂの厚み（ｄ１）の関係がｄ４＞ｄ１となるよう構成すれば、確実に鍔部１１ｂの押圧変形された周縁部分が下地材２の表面に食い込み、目地受け部材１１は強固に下地材２に固着され、望ましい。
そして次に、内装パネル１の裏面に接着剤を塗布し接着層４を形成し、内装パネル１の凹溝１ｂと目地受け部材１１のやとい実部１１ｃとが嵌合するように内装パネル１を取り付ける。このとき内装パネル１の裏面に形成される接着層４は、鍔部１１ｂの略厚み（ｄ１）分だけ形成すればよい点は先述と同様である。よって鍔部１１ｂの厚み（ｄ１）を例えば１ｍｍの場合は、接着層４の厚み（ｄ３）も１ｍｍでよい。すなわち、内装パネル１は、目地受け部材１１の鍔部１１ｂの略厚み（ｄ１）分の接着層４を介して下地材２に接着させるものとすることができる。よって、接着剤の使用量を抑えることができ、容易に接着層４の形成を行うことができる。また、施工時間の短縮を図ることもできる。更に接着層４を均一な厚さで形成することも容易となるので、内装パネル１を安定して下地材２に接着させることができる。
【００２３】
順次、この要領で横方向に内装パネル１を取り付け設置していき、図例のものでいえば３枚の取り付けが終わったら、横方向に配設された見切り受け部材２１の上にカバー受け部材２２を被せ、互いを係合させ装着する。次いで目地受け部材１１の上にもこの時点でカバー目地部材１２を被せ、互いを係合させ装着してもよい。
そして次に長目地部材１０Ｌの取り付けを行う。取り付けの施工手順は短目地部材１０Ｓと同様である。図３（ａ）（ｂ）は図２のＹ−Ｙ線矢視断面図であり、目地受け部材１１の装着工程を示している。図３（ａ）は鍔部１１ｂに皿ネジ３が螺入される前の状態、図３（ｂ）は鍔部１１ｂへの皿ネジ３の螺入方向を夫々示している。これに示すように、長目地部材１０Ｌの場合も、まずはすでに取り付けられた内装パネル１の凹溝１ｂとやとい実部１１ｃとを嵌合させてから（図３（ａ）参照）、所定の位置に目地受け部材１１を配置し、皿ネジ３を白抜矢示方向に螺入していき、下地材２に固着する（図３（ｂ））。
図３（ｂ）に示すように、ネジ頭部３ａの厚み（ｄ４）と鍔部１１ｂの厚み（ｄ１）の関係がｄ４＞ｄ１となるよう構成すれば、確実に鍔部１１ｂの押圧変形された周縁部分が下地材２の表面に食い込み、目地受け部材１１は強固に下地材２に固着される点は短目地部材１０Ｓの場合と同様である。
そしてその後、次にその上段に配置される内装パネル１を取り付けた後、カバー目地部材１２を装着する。
以上の施工手順を繰り返し、内装パネル１の取り付けが終わったら、最外周となる残り２辺の縦と横に見切り部材２０の取り付ける。このとき見切り受け部材２１の固着は皿ネジ３を螺入させることはできないので、ステープル、フィニッシュネイルを斜め方向から打ち込み、固着処理を行う。
そして、最後に、見切り部材２０のそれぞれの突合せ部分（４隅）にコーナキャップ（不図示）を被せ、施工完了となる。
尚、内装パネル１の施工手順は上述の手順に限定されるものではない。また固定具としてネジ頭部３ａが平坦な皿ネジ３を用いた例について説明しているがこれに限定されるものではなく、皿ネジ３を螺入することにより、皿ネジ３のネジ頭部３ａの表面が、鍔部１１ｂ、２１ｂの表面と略面一となるようになされれば、ネジ頭部３ａが丸みを帯びたものであってもよい。
【００２４】
図５（ａ）（ｂ）は同建築用パネルの取付構造の変形例を示しており、目地受け部材の装着工程を示した断面図である。
この例は、天井面の一部を装飾するために天井面に建築用パネルとして内装パネル１を取り付けた例を示すものとしては上述の例と同様であり、共通する部分は共通の符号を付し、その説明は割愛する。
上述の例とは、内装パネル１の端面１ａに凹溝が形成されていない点で異なり、これに伴い目地受け部材１１にやとい実部１１ｃが形成されていない点でも異なる。
図５（ａ）は鍔部１１ｂに皿ネジ３が螺入される前の状態、図５（ｂ）は鍔部１１ｂへの皿ネジ３の螺入方向を夫々示している。
このように図１、図３に示す凹溝１ｂ、やとい実部１１ｃを備えていないものにも本発明の建築用パネルの取付構造は適用可能であり、この場合も、目地受け部材１１の鍔部１１ａが薄板状でなるので、固定具となる皿ネジ３を螺入することができ、また皿ネジ３が該鍔部１１ｂを破断して下地材２の表面に食い込ませるようにすることができる。また内装パネル１は、目地受け部材１１の鍔部１１ｂの略厚み分の接着層４を介して下地材２に接着させるものとすることができる点も同様である。
【００２５】
尚、本発明の建築用パネルの取付構造は、上述の内装パネル１の例に限定されず、外装パネルの取付構造としても採用することができる。
また本実施形態では、正方形状で同一寸法の内装パネル１を複数使用し、それらを格子状に並べたものを示しているが、配設例もこれに限られず、千鳥状など種々の並べ方で並べてもよく、異なる寸法、形状ものを使用してもよい。
【図面の簡単な説明】
【００２６】
【図１】本発明の建築用パネルの取付構造を説明するための断面図であり、図２のＸ−Ｘ線矢視断面図である。
【図２】同建築用パネルの取付構造の施工例を示す平面図である。
【図３】（ａ）（ｂ）は図２のＹ−Ｙ線矢視断面図であり、目地受け部材の装着工程を示した図である。
【図４】同建築用パネルの取付構造に採用される目地部材の斜視図である。
【図５】（ａ）（ｂ）は同建築用パネルの取付構造の変形例を示しており、目地受け部材の装着工程を示した断面図である。
【符号の説明】
【００２７】
１      内装パネル（建築用パネル）
２      下地材
２ａ      天井野縁
３      皿ネジ
３ａ      ネジ頭部
４      接着層
１０      目地部材
１１      目地受け部材
１１ａ      本体部
１１ｂ      鍔部
１１０      係合部
１２      カバー目地部材
２０      見切り部材
２１      見切り受け部材
２１ａ      本体部
２１ｂ      鍔部
２２      カバー見切り部材
【図１】
2009191539.tif 000003
【図２】
2009191539.tif 000004
【図３】
2009191539.tif 000005
【図４】
2009191539.tif 000006
【図５】
2009191539.tif 000007